(57)【要約】【課題】遊技島を構築する際の工数を低減させて作業性が良好な島構造を提供する。【解決手段】遊技施設の床面に所定間隔で立設されたフレーム部材１０と、各フレーム部材間に配設される上段ユニット部材２０及び下段ユニット部材とを備えて構成される遊技島において、フレーム部材１０を挟む一方の上段ユニット部材に側方に突出する軸部２２が設けられ、フレーム部材１０には軸部２２を左右に挿通させて支持する軸支持部１２２が設けられ、隣接する上段ユニット部材には軸部２２と係合して支持される軸係合部２３が設けられる。そして左側の上段ユニット部材の軸部２２をフレーム部材の軸支持部１２２に支持させ、支持された軸部２２に右側の上段ユニット部材の軸係合部２３を係合させたときに、隣接する左右の上段ユニット部材が同一の高さ位置でフレーム部材に上下及び前後に位置決めされて支持されるように構成される。【選択図】図１
2008148939.tif 000002
【特許請求の範囲】
【請求項１】
遊技施設の床面に左右に所定のユニット間隔をおいて立設された複数のフレーム部材と、前記複数のフレーム部材の間に配設されて左右側部が前記フレーム部材の下部に取り付けられる下段ユニット部材及び当該下段ユニット部材の上方に所定の高さ間隔を隔てて配設されて左右側部が前記フレーム部材の上部に取り付けられる上段ユニット部材とを備え、前記上段ユニット部材と前記下段ユニット部材との間に縦型遊技機が左右に並んで固定保持される遊技島の島構造であって、
前記フレーム部材を挟んで隣接する左右の前記上段ユニット部材における一方の上段ユニット部材の側面に、他方の上段ユニット部材に向けて突出する軸部が設けられ、
前記フレーム部材の上部に、前記軸部を左右に挿通させて前記軸部を支持する軸支持部が設けられ、
前記他方の上段ユニット部材の側面に、前記軸部と係合して前記軸部に支持される軸係合部が設けられ、
前記一方の上段ユニット部材の前記軸部を前記軸支持部に支持させ、前記軸部に前記他方の上段ユニット部材の前記軸係合部を係合させたときに、前記一方の上段ユニット部材と前記他方の上段ユニット部材とが同一の高さ位置で上下及び前後に位置決めされて前記フレーム部材に支持されるように構成したことを特徴とする遊技島の島構造。
【請求項２】
前記軸支持部は、前記遊技島の前面側に開く溝状に形成されて後端部において前記軸部の下面を支持するように形成され、
前記軸係合部は、前記遊技島の後面側に開く溝状に形成されて前端部において前記軸部の上面に支持されるように形成され、
前記遊技島の前面側から前記一方の上段ユニット部材の前記軸部を前記軸支持部に導入して支持させ、前記軸支持部に支持された前記軸部に前記遊技島の前面側から前記他方の上段ユニット部材の前記軸係合部を係合させたときに、前記一方の上段ユニット部材と前記他方の上段ユニット部材とが同一の高さ位置で上下及び前後に位置決めされて前記フレーム部材に支持されるように構成したことを特徴とする請求項１に記載の遊技島の島構造。
【請求項３】
前記フレーム部材の上部に、前記軸支持部よりも下方に位置して左右に突出する下方支持部が設けられ、
前記軸支持部において支持された前記上段ユニット部材の下部を後方に揺動させたときに前記上段ユニット部材の後面が前記下方支持部に当接し、前記上段ユニット部材が前後に所定の角度位置で位置決めされることを特徴とする請求項１または請求項２に記載の遊技島の島構造。
【請求項４】
前記軸支持部は、前記上段ユニット部材と前記下段ユニット部材とを上下に第１の所定間隔を隔てて連結させる第１軸支持部と、第２の所定間隔を隔てて連結させる第２軸支持部とからなり、
第１軸支持部及び前記第２軸支持部のいずれか一方を選択して前記軸部を支持させることにより、前記縦型遊技機の高さ寸法に応じた前記中段領域の高さ設定が可能であることを特徴とする請求項１から請求項３のいずれか一項に記載の遊技島の島構造。
【発明の詳細な説明】
【技術分野】
【０００１】
本発明は、遊技施設の床面に左右所定間隔で立設された複数のフレーム部材と、フレーム部材の間に配設される下段ユニット部材及び上段ユニット部材を備え、これら上下のユニット部材の間に縦型遊技機が左右に並んで固定保持される遊技島の島構造に関する。
【背景技術】
【０００２】
パチンコ機やスロットマシン等の縦型遊技機は、遊技者が最も着目する遊技盤の中央飾り部やリール中央の有効ラインが着座姿勢にある遊技者の目前に位置するように、遊技島と称される設備に左右に並んで固定配設されて遊技に供される。遊技島の島構造には種々の構成形態があるが、その一つとして、遊技施設の床面に左右所定間隔（例えば遊技機２〜３台間隔）で複数のフレーム部材を立設し、これらのフレーム部材の間に下段ユニット部材及び上段ユニット部材を配設するような構成形態の島構造がある。このような島構造では、左右に並んで配設される上段ユニットについて、フレーム部材の上部に左右のユニット部材を所定の高さ位置に支持する支持部が形成されており、この支持部に上段ユニット部材を仮支持させた状態でユニット部材の位置合わせを行い、各ユニット部材ごとにボルト等によりフレーム部材に固定するように構成されていた。
【０００３】
また、パチンコ機では、外枠の外形寸法（縦×横寸法）に関して、いわゆる関東枠と称される枠サイズと、関東枠より若干大きい関西枠と称される枠サイズの２種類が併存している。このため、従来では、上記支持辺部の高さ位置を枠サイズが大きい関西枠に合わせてフレーム部材を形成しておき、関東枠のパチンコ機を設置する場合には、隙間を埋めるスペーサを外枠上方に挟み込んで固定していた。あるいは、支持辺部の配設高さを関東枠の枠サイズに合わせた関東枠用のフレーム部材と、関西枠の枠サイズに合わせた関西枠用のフレーム部材との種類を準備しておき、いずれかを用いて遊技島を構築するようにしていた。ところが、上記のようなスペーサを用いて縦型遊技機を固定する場合には、遊技機を入れ替えるたびに多数のスペーサ及び着脱工数が必要とされて資源保護及び入れ替え工数の面から好ましくなく、枠サイズに合わせた２種類のフレーム部材を予め形成しておくとすればフレーム部材の生産コストや管理コストが上昇して好ましくない。このため、近年では、フレーム部材と上段ユニット部材との間に両者を連結固定する連結部材を設け、この連結部材のフレーム部材への固定高さを変更することにより、関東・関西の両方の枠サイズに合わせて設定可能に構成した島構造が提案されている（例えば特許文献１を参照）。
【０００４】
【特許文献１】特開平１０−５４３１号公報
【発明の開示】
【発明が解決しようとする課題】
【０００５】
しかしながら、上記のような従来の島構造は、左右のフレーム部材の支持部に仮支持された上部ユニット部材について、それぞれフレーム部材に対して前後方向の位置合わせを行ったうえで、各ユニットごとにフレーム部材に締結固定する必要があり、作業が繁雑であるという課題があった。
【０００６】
また、フレーム部材と上段ユニット部材との間に連結部材を設けて連結部材の固定高さを変更設定可能とすることで、遊技機を入れ替えるたびにスペーサを着脱交換する必要がなく、遊技機の枠サイズによらずフレーム部材を共通化することができる。しかしながら、このような島構造では、フレーム部材の構成上、本来的には必要がない連結部材をフレーム部材の数と同数製作して相互に連結固定する必要があり、製作部材及びボルト・ナット等の補材を含めた部品点数が増加することに加えて、逐一連結部材を関東枠または関西枠に合わせて適正位置に固定するための工数が発生し、遊技島の構築に手間がかかるという課題があった。
【０００７】
本発明は、上記のような課題に鑑みてなされたものであり、遊技島を構築する際の工数を低減させて作業性が良好な島構造を提供することを目的とし、さらには、部品点数や作業工数を増加させることなく簡明な構成で異なる枠サイズにも対応可能な遊技島の島構造を提供することを目的とする。
【課題を解決するための手段】
【０００８】
上記課題を解決して目的を達成するため、本発明は、遊技施設の床面に左右に所定のユニット間隔をおいて立設された複数のフレーム部材と、これら複数のフレーム部材の間に配設されて左右側部がフレーム部材の下部に取り付けられる下段ユニット部材及び当該下段ユニット部材の上方に所定の高さ間隔を隔てて配設されて左右側部がフレーム部材の上部に取り付けられる上段ユニット部材とを備え、上段ユニット部材と下段ユニット部材との間に縦型遊技機が左右に並んで固定保持される遊技島の島構造である。この島構造においては、フレーム部材を挟んで隣接する左右の上段ユニット部材における一方の上段ユニット部材の側面に他方の上段ユニット部材に向けて突出する軸部が設けられ、フレーム部材の上部には軸部を左右に挿通させて軸部を支持する軸支持部が設けられ、上記他方の上段ユニット部材の側面には軸部と係合して軸部に支持される軸係合部が設けられる。そして、上記一方の上段ユニット部材の軸部をフレーム部材の軸支持部に支持させ、こうして支持された軸部に他方の上段ユニット部材の軸係合部を係合させたときに、上記一方の上段ユニット部材と上記他方の上段ユニット部材とが同一の高さ位置で上下及び前後に位置決めされてフレーム部材に支持されるように構成される。
【０００９】
なお、軸支持部は、遊技島の前面側に開く溝状に形成されて後端部において軸部の下面を支持するように形成され、軸係合部は、遊技島の後面側に開く溝状に形成されて前端部において軸部の上面に支持されるように形成され、遊技島の前面側から一方の上段ユニット部材の軸部を軸支持部に導入して支持させ、軸支持部に支持された軸部に遊技島の前面側から他方の上段ユニット部材の軸係合部を係合させたときに、一方の上段ユニット部材と他方の上段ユニット部材とが同一の高さ位置で上下及び前後に位置決めされてフレーム部材に支持されるように構成することが好ましい。
【００１０】
また、フレーム部材の上部に、軸支持部よりも下方に位置して左右に突出する下方支持部が設けられ、軸支持部において支持された上段ユニット部材の下部を後方に揺動させたときに上段ユニット部材の後面が下方支持部に当接し、上段ユニット部材が前後に所定の角度位置で位置決めされることが好ましい。
【００１１】
また、軸支持部は、上段ユニット部材と下段ユニット部材とを上下に第１の所定間隔を隔てて連結する第１軸支持部と、第２の所定間隔を隔てて連結する第２軸支持部とからなり、第１軸支持部及び第２軸支持部のいずれか一方を選択して軸部を支持させることにより、縦型遊技機の高さ寸法に応じた中段領域の高さ設定が可能であるように構成することが望ましい。
【発明の効果】
【００１２】
本発明によれば、フレーム部材を挟んで隣接する左右の上段ユニット部材のうち一方の上段ユニット部材に側方に突出する軸部が設けられ、他方の上段ユニット部材に軸部と係合して軸部に支持される軸係合部が設けられ、これらの間に位置するフレーム部材に軸部を左右に挿通させて軸部を支持する軸支持部が設けられており、上記一方の上段ユニット部材の軸部をフレーム部材の軸支持部に支持させ、支持された軸部に他方の上段ユニット部材の軸係合部を係合させることで、左右に隣接する上段ユニット部材が同一の高さ位置で上下及び前後に位置決めされてフレーム部材に支持される。すなわち、本発明の島構造では、一方の上段ユニット部材の軸部をフレーム部材の軸支持部に挿通支持させて、軸端側に他方のユニット部材の軸係合部を係合させると、左右に隣接する上段ユニット部材が同一の高さ位置で上下及び前後に位置決めされてフレーム部材に支持される。このため遊技島を構築する作業者（島大工と称される）は、左右の各上段ユニット部材の位置決め作業を行う必要がなく、フレーム部材を挟んで支持された左右の上段ユニット部材を、例えばボルト等の締結手段により連結させることで容易に遊技島を構築することができる。
【００１３】
なお、軸支持部を遊技島の前面側に開く溝状に形成し、軸係合部を遊技島の後面側に開く溝状に形成して、遊技島の前面側から一方の上段ユニット部材の軸部を軸支持部に導入して支持させ、支持された軸部に遊技島の前面側から他方の上段ユニット部材の軸係合部を係合させたときに、左右に隣接する上段ユニット部材が同一の高さ位置で上下及び前後に位置決めされてフレーム部材に支持されるような構成によれば、比較的大型のユニット部材に対して小径の軸と軸孔とを嵌合させる微妙な作業を必要とせず、かつ左右に隣接するいずれの上段ユニット部材も遊技島の前面側から取り付けることができる。従って、遊技島の構築や分解を更に容易化した島構造を提供することができる。
【００１４】
また、軸支持部よりも下方に位置して左右に突出する下方支持部を設け、軸支持部において支持された上段ユニット部材の下部を後方に揺動させたときに上段ユニット部材の後面が下方支持部に当接して上段ユニット部材が前後に所定の角度位置で位置決めされるような構成によれば、軸支持部において支持された左右の上段ユニット部材を下方支持部に当接させる簡単な作業で、上段ユニット部材の位置及び傾きが全て位置決めされるため、遊技島の構築を更に容易化した島構造を提供することができる。
【００１５】
また、軸支持部が、上段ユニット部材と下段ユニット部材とを上下に第１の所定間隔を隔てて連結させる第１軸支持部と、第２の所定間隔を隔てて連結させる第２軸支持部とからなり、第１軸支持部及び第２軸支持部のいずれか一方を選択して軸部を支持させるような構成によれば、例えば、第１の所定間隔として関東枠の枠サイズに合わせた高さ間隔、第２の所定間隔として関西枠の枠サイズに合わせた高さ間隔とすることにより、フレーム部材に溝状の軸支持部を２箇所形成した簡明な構成で、関東枠と関西枠の両方に適用可能な島構造を得ることができる。
【００１６】
従って、本発明によれば、遊技島を構築する際の工数を低減させて作業性が良好な島構造を提供することができ、さらには、部品点数や作業工数を増加させることがなく簡明な構成で異なる枠サイズにも対応可能な遊技島の島構造を提供することができる。
【発明を実施するための最良の形態】
【００１７】
以下、図面を参照して本発明の好ましい実施形態について説明する。本発明に係る島構造を適用した遊技島ＰＩの外観斜視図を図２に示しており、まずこの図を参照して遊技島ＰＩの全体構成について概要説明する。なお、以降の説明において、遊技島ＰＩに対面した姿勢をもって前後、左右を規定し、図２中に付記するＦ，Ｒ，Ｕの矢印方向をそれぞれ前方，右方，上方と称して説明する。
【００１８】
遊技島ＰＩは、遊技施設の床に立設されて左右に延びる壁面状をなし、通常、複数列の遊技島が島間の配設ピッチ3.5m程度の間隔をおいて並列に並んで設置される。各遊技島ＰＩには、図２に例示するパチンコ機の他、例えばアレンジボール機や雀球機、スロットマシンなどの縦型遊技機ＰＭが、各遊技島ごとに左右に複数並んで立設姿勢で固定保持される。遊技島には、上記のような縦型遊技機（以下、パチンコ機を代表例として記載する）ＰＭが背中合わせに島の両面に固定される「両島」と、背後の壁面に沿って設けられて島の片面のみにパチンコ機が固定される「カベ島」とがあるが、基本構成は同様であり、以下両島の構成について説明する。
【００１９】
遊技島ＰＩは、図３に島全体の正面図を示し、図３中のIV矢視方向の側断面図を図４に示すように、通常８〜１０台程度のパチンコ機ＰＭをもって一単位とされ、左右中間部に「研磨機柱」と称される柱ＣＫが設けられる（図３では研磨機柱ＣＫの左側に９台、右側に１０台の設置構成とした例を示す）。研磨機柱ＣＫについては詳細説明を省略するが、柱下端部から受け入れた汚れた遊技済み球を揚送過程で表面研磨し遊技球の汚れを落として柱上端に設けられた上部タンクＵＴに揚送する揚送研磨機と、揚送研磨機により清浄化された遊技球を下段のメインタンクＭＴに流下させる下降誘導路とが設けられている。図３における紙面直交の前後方向に並列に並んだ遊技島間では、上部タンクＵＴ間を相互に結ぶ供給樋が設けられ、島単位での貯留遊技球数が所定量未満になったときに、遊技球が他列の遊技島を介して上部タンクに補給されるようになっている。
【００２０】
遊技島ＰＩは、大別的には、パチンコ機ＰＭが配設される中段と、パチンコ機ＰＭの上方に位置する上段と、パチンコ機ＰＭの下方に位置する下段の３段構成になっている。上段には、前後中央に位置して上部タンクＵＴに貯留された遊技球をパチンコ機ＰＭに供給する補給樋１が、研磨機柱上端の上部タンクＵＴから遊技島の側端に向けて所定勾配の傾斜姿勢で設けられるとともに、補給樋の前方には補給樋を保守管理するために天板（幕板または欄間とも称される）２が上下に開閉可能に付けられ、この天板の下側に位置して呼び出しランプや各パチンコ機ごとの特別遊技（いわゆる大当たり）実行回数データ表示器などを備えたランプ板３が設けられる。
【００２１】
遊技島ＰＩの下段には、パチンコ機ＰＭの裏面側下方に、各パチンコ機ＰＭから排出されたセーフ球やアウト球等の遊技済み球を受け止めて揚送研磨機に流下させる回収樋（一般的にどぶ板と称される）５が、遊技島の側端から研磨機柱ＣＫ下端の揚送研磨機の導入口に向けて所定勾配の傾斜姿勢で設けられるとともに、揚送研磨機により清浄化され下降誘導路を介して下段に導かれた遊技球を貯留するメインタンクＭＴが、研磨機柱と隣接して設けられている。
【００２２】
なおメインタンクＭＴの配設領域では、この領域のパチンコ機から排出された遊技済み球を回収樋５に合流させるアウト球レール５ｒが、回収樋５と左右逆勾配の傾斜姿勢でメインタンクＭＴの上部に形成されるとともに、回収樋５と揚送研磨機の導入口との間を繋ぐ回収ダクト５ｄがメインタンクＭＴの内部を貫通して形成されている。遊技島ＰＩの前面側には、パチンコ機ＰＭの下側に位置して球箱等を載置するための膳板６が前方に突出して設けられ、その下側に回収樋５及びメインタンクＭＴの前方を覆う腰板７が着脱可能に設けられ、この腰板７と床面との間を塞いで巾木部材８が取り付けられている。
【００２３】
このような全体構成の遊技島ＰＩにあって、各遊技島は、図５に島構造の概要構成を示すように、遊技施設の床面ＦＬに固定されたアンカーベース９を介して左右に所定のユニット間隔Ｌy（Ｌy1〜Ｌy3）を隔てて立設された複数のフレーム部材１０，１０…と、これら複数のフレーム部材の間に配設されて左右側部がフレーム部材の下部に取り付けられる下段ユニット部材３０，３０…及び当該下段ユニット部材の上方に所定の高さ間隔を隔てて配設されて左右側部がフレーム部材の上部に取り付けられる上段ユニット部材２０，２０…などからなり、遊技島の主要部が生産工場においてユニット単位で製作され、遊技施設で各ユニットを連結固定して組み上げることにより遊技島ＰＩが構築されるようになっている。
【００２４】
図５中のVI矢視方向に見たフレーム部材１０の側面図を図６(ａ)に示し、図６(ａ)の右側面図（図３におけるフレーム部材１０の背面図）を図６(ｂ)に示すように、フレーム部材１０は、大別的には、上下に延びる前後一対の上柱部１１及び前後の上柱部１１，１１を連結する上横桟部１２を有し、前後の上柱部１１にそれぞれ上段ユニット部材２０の取着部１２０が設けられた上フレーム部１０Ｕと、上下に延びる前後一対の下柱部１３及び前後の下柱部１３，１３を連結する下横桟部１４，１５を有して上フレーム部１０Ｕの下側に結合され前後の下柱部にそれぞれ下段ユニット部材３０の取着部１３０が設けられた下フレーム部１０Ｄとからなり、下フレーム部１０Ｄは前後の下柱部１３の内面間隔が前後の上柱部１１の内面間隔よりも大きな方形枠状に構成される。
【００２５】
前後の上柱部１１及び前後の下柱部１３は、図６(ａ)(ｂ)からも明らかなように、共に平板を中心線ＣＬに対して勝手違いの前後対称な形状寸法に切断し、各柱部材の内側の側縁を平断面視Ｌ字状に直角に曲げ成型して形成されており、これらの４枚の柱部材を、側面視Ｚ字状の連結板で前後から挟み込んで連結固定して前後一対のクランク状の柱を形成し、これを断面視コの字状に折り曲げ成形した上横桟部１２、下横桟部１４，１５の３枚の横桟部材で一体に連結してフレーム部材１０を形成している。フレーム部材を形成する各部材は、板厚1.6〜3.2mm程度の鋼板（例えば、板厚2.3mmのメッキ処理鋼板）を切断、孔開け、バーリング及び曲げ加工等して各部材形状に形成し、ネジや溶接等の連結手段により一体に形成される。このため、機械構造用角形鋼管等を用いた場合よりも軽量且つ安価にフレーム部材１０を構成できるとともに、左右に隣接するユニット間の間隔を大幅に低減することができる。
【００２６】
遊技施設の床面ＦＬには、フレーム部材１０の立設固定に先立って、正面視Ｌ字状に曲折されたアンカーベース９がユニット間隔Ｌyを隔ててアンカーボルト１９で固定されており、底辺から上方に立設された立設壁面にフレーム部材１０を固定するボルト１８を挿通させるボルト挿通孔が形成されている。一方、下フレーム部１０Ｄには、下横桟１５の下面に溶着されたナットにレベル調整用のアジャスタボルト１６，１６が下方に張り出し自在に螺合されるとともに、前後の下柱部１３の下端部に下端側が開く長孔状の固定溝１７が形成されて固定用ボルト１８と係脱可能になっている。
【００２７】
そこで、前後の固定溝をアンカーベース側の固定ボルト１８及びナット間に係合させて緩く仮止めした立設状態とし、遊技島ＰＩを構成する複数のフレーム部材１０，１０…について下フレーム部１０Ｄの上面位置が水平になるようにアジャスタボルト１６を張り出してフレーム部材間でレベル調整するとともに、各フレーム部材１０ごとに前後の下フレーム部１０Ｄの上面高さが同一となるように前後のアジャスタボルト１６，１６の張り出し量を調整して各フレーム部材の前後方向の傾き調整を行い、これらのレベル出しが終了した段階で固定ボルト１８，１８を締め込んでアンカーベース９とフレーム部材１０とを締結する。これにより左右に離隔して並ぶ複数のフレーム部材１０，１０…が床面ＦＬの傾斜や凹凸に拘わらず水平となる高さ位置に配設されるとともに、各フレーム部材が前後に傾きなく中心線ＣＬが鉛直な姿勢で床面ＦＬに立設固定される。
【００２８】
このようにして床面ＦＬに立設固定された複数のフレーム部材１０間に、メインタンクＭＴがフレーム部材１０を跨いで設置され、メインタンクＭＴ内に形成された回収ダクト５ｄと位置整合して回収樋５が取り付けられる。図４における下フレーム部近傍の部分拡大図を図７に示す。既述したように、下フレーム部１０Ｄは、前後の下柱部１３，１３の内面間隔が前後の上柱部１１，１１の内面間隔よりも大きな方形枠状に形成されており、図３に示されるように、メインタンクＭＴが方形枠状の下フレーム部１０Ｄを左右に跨いで配設可能になっている。このため、上柱部がそのままアンカーベースまで下方に延びて形成された従来のフレーム構造のように、メインタンクの長さ寸法がフレーム部材の配設ピッチ（すなわちユニット間隔Ｌy）によって制限されるようなことがなく、遊技島ＰＩに必要な数量の遊技球を、余裕を持って貯留可能な長尺、大容量のメインタンクを配置することができる。
【００２９】
また、下フレーム部１０Ｄの枠内に回収樋５を支持する回収樋支持構造１５０が設けられている。回収樋支持構造１５０は、前後の下柱部１３の内面に穿設された複数のブラケット取付孔１５１と、側面視クランク状に曲げ成形されてブラケット取付孔に固定される回収樋支持ブラケット１５５とから構成される。図６中のVIII矢視方向に見た下柱部１３の正面図を図８(ａ)に示し、その右側面図を図８(ｂ)に示す。
【００３０】
支持ブラケット取付孔１５１は、回収樋支持ブラケット１５５の基板部に形成されたネジ挿通孔と同一ピッチＰsの２個一組の取付孔が複数組（図８に例示する構成においては１５１ａ〜１５１ｄの４組）設けられて構成される。各組間の配設ピッチＰyはフレーム部材１０が配設されるユニット間隔Ｌyと回収樋５の勾配（３〜５度程度）に基づいて設定されており、例えばユニット間隔Ｌy＝1800mm、回収樋５の基準勾配を4.5％としたときにＰy＝80mm程度となり、メインタンクＭＴにおける回収ダクト５dの入口高さを位置基準として設定される。
【００３１】
ここで、ネジ挿通孔の形成ピッチＰsを上記Ｐyの半分（２Ｐs＝Ｐy）に設定すれば、支持ブラケット取付孔１５１は全て0.5Ｐyの同一ピッチとなり、細かな勾配設定を行うことができる。一方、上記のような等ピッチ構成とすれば、どの取付孔に支持ブラケットを固定すれば基準勾配に設定できるかを一義的に理解することが困難である。そこで、回収樋支持構造１５０では、ネジ挿通孔の形成ピッチＰsを、各組の配設ピッチＰyの半分からずらせて２Ｐs≠Ｐy（２Ｐs＜Ｐyまたは２Ｐs＞Ｐy）となるように、すなわち、回収樋支持ブラケット１５５が取り付けられる２個一組の取付孔と、上記所定勾配に基づいて段階的に設定された回収樋支持ブラケット１５５の取り付け高さとが一目で理解できるように構成している。
【００３２】
このため、回収樋５を組付けようとする作業者は、メインタンクＭＴに隣接するフレーム部材１０側から順に１段ずつ高い組の支持ブラケット取付孔１５１（１５１ｄ、１５１ｃ、１５１ｂ）に回収樋支持ブラケット１５５をネジ固定すれば、回収樋５が必然的に基準勾配で下フレーム部１０Ｄ内に支持される。
【００３３】
回収樋支持ブラケット１５５は、前後の下柱部の内面に沿って配設される基板部１５５ａと、この回収樋５の下面側に前後の縁部に沿って固定された樋縦桟５ｓの下面を支持する下面支持部１５５ｂと、樋縦桟５ｓの下面を支持する側面支持部１５５ｃとからなり、例えば板厚1.6〜2.3mm程度の鋼板を切断及び曲げ成形して形成される。基板部１５５ａには上下にピッチＰsでネジ１５７を挿通させるネジ挿通孔が形成されている。
【００３４】
側面支持部１５５ｃは、前後の樋縦桟５ｓの内側面を弾性的に支持するように、基板部１５５ａとの面間寸法（図８(ｂ)における左右方向寸法）が側面支持部１５５ｃの下部で樋縦桟５ｓの桟幅と略同一寸法に、上部で樋縦桟５ｓの桟幅よりも幾分小さめの寸法に形成されており、上記のように段階的な高さ位置に各回収樋支持ブラケットを固定し、前後の回収樋支持ブラケット１５５に回収樋５を上方からあてがって下方に押圧したときに、前後の樋縦桟５ｓが側面支持部の上端部を開くように進入して樋縦桟５ｓの下面が下面支持部１５５ｂに支持され、前後の樋縦桟５ｓの内側の側面が各支持ブラケットの側面支持部を弾性的に挟み込んだ状態で基準勾配の傾斜姿勢に係止保持される。
【００３５】
従って、回収樋支持構造１５０によれば、従来では下フレーム部下段ユニット部材３０の装着後に、下段ユニットの左右の枠杆に基準勾配の墨出しを行い、この勾配線に合わせて回収樋を釘打ち固定していた作業工数を大幅に低減し、作業性が良好で迅速に組付け可能な回収樋支持構造を得ることができる。また回収樋５の前後で樋縦桟５ｓを挟み込んで支持する構成により、回収樋５が脱落したり振動して騒音を発したりしないようになっている。なお、詳細図示を省略するが、回収樋５の上面には厚さ1〜2mm程度のゴムシートが貼付されており、パチンコ機から排出され回収樋５に落下する遊技球をゴムシートで受け止めて騒音の発生を抑制するとともに、木材を主体とした回収樋の上面を保護し遊技球の衝突による木片の発生を防止している。
【００３６】
さて、このようにしてメインタンクＭＴ及び回収樋５が取り付けられたフレーム部材１０，１０の間に位置して下フレーム部１０Ｄの下段ユニット取り付け部１３０に下段ユニット部材３０が取り付けられる。
【００３７】
下段ユニット部材３０は、厚さ24mm程度、幅120mm程度の木工板材をユニット間隔Ｌyに応じた所定の長さ寸法に切断した上枠杆３１Ｕと、同様の板厚で幅70mm程度の木工角材を上記所定寸法に切断した下枠杆３１Ｄ、右枠杆３１Ｒ及び左枠杆３１Ｌを直角に枠組みした外郭方形で横長の下段ユニット枠３１を基体として構成され、左右方向の外幅寸法が、ユニット間隔Ｌyで床面に固定された左右のフレーム部材の内幅間隔と同一寸法に設定されている。下段ユニット枠３１における上枠杆３１Ｕの後部上面には、左右の枠杆３１Ｌ，３１Ｒよりも後方に突出してパチンコ機ＰＭの下面を支持する支持枠杆３１Ｓが固定され、上枠杆３１Ｕの前端部から上面及び支持枠杆３１Ｓの前端面までをアルミ合金製の引き抜き型材の化粧面材３２でカバーして膳板６が形成される。上枠杆３１Ｕの下面と下枠杆３１Ｄの前端面には、断面視コの字状の腰板支持レール３８が上下に対向して固定されており、ここに腰板７が着脱自在に装着される。また、下枠杆３１Ｄの下面には、巾木部材８の背面を支持する巾木桟３１Ｈが設けられている。
【００３８】
一方、下フレーム部１０Ｄに設けられた下段ユニット取り付け部１３０は、下柱部１３の下端近傍に左右に突出して設けられた舌片状の下方支持部１３３と、下柱部１３の上端部に下向きのスリット溝状に形成された上方支持部１３４と、下柱部１３における上下２箇所の所定位置に下柱部１３を左右に貫通して形成されたボルト挿通孔１３６などから構成される。
【００３９】
下方支持部１３３は、下柱部１３の下端部に長孔状に形成された固定溝１７を前後に挟んでネジ固定された固定溝補強部材の上端部に形成されており、下柱部１３の板面に沿って延びる基板部から下枠杆３１Ｄの下面を当接支持する支持辺１３３ｂが左右に突出して形成されるとともに、その前後方向外側の縁部が更に上向きに曲折されて、下段ユニット部材３０を下部において前後方向に位置決めする位置決め辺１３３ｃが形成されている。上方支持部１３４は、下柱部１３の上端部に溝幅2mm程度、長さ16mm程度で下向きに延びるスリット溝状に形成されている。下柱部の上下２箇所に形成されたボルト挿通孔１３６は、左右に隣接する下段ユニット部材３０，３０を連結させてフレーム部材１０に固定するための連結ボルト１３７の挿通孔である。
【００４０】
このような下段ユニット取り付け部１３０に対し、下段ユニット枠３１における下枠杆３１Ｄには、下方支持部１３３に設けられた位置決め辺１３３ｃの配設位置及び板厚に合わせたスリット溝状の下位置決め溝３３が形成されている。また下段ユニット枠３１における支持枠杆３１Ｓの左右の端部には、下柱部１３の上端に形成された上方支持部１３４と位置整合して同様の溝幅で上下に貫通するスリット溝状の上位置決め溝３４が側端面から30mm程度の長さで形成されている。そして、下段ユニット枠３１の左右の枠杆３１Ｌ，３１Ｒには、一方の枠杆（例えば、各図に例示する実施例において正面右側の右枠杆３１Ｒ）にボルト挿通孔１３６と位置整合して鬼目ナット３６が圧入固定され、他方の枠杆（同上左枠杆３１Ｌ）の対応位置に連結ボルト１３７を挿通させる円孔（不図示）が穿設されている。
【００４１】
そこで、下段ユニット取り付け部１３０に下段ユニット部材３０を取り付ける際には、フレーム部材１０の前方から下枠杆３１Ｄを斜め下方とした傾斜姿勢で下段ユニット枠３１を下方支持部１３３に接近させ、下位置決め溝３３を位置決め辺１３３ｃに位置合わせして嵌合させ、ユニット枠３１の上部を後方に揺動させて下枠杆３１Ｄの下面を支持辺１３３ｂに支持させる。これにより下段ユニット枠３１の下部が上下及び前後に位置決めされて左右のフレーム部材の間に支持される。
【００４２】
次いで、下段ユニット枠３１の上部を僅かに前後揺動させて上位置決め溝３４が上方支持部１３４と同一線上で整合するように位置合わせする。そして、一本の直線状に位置合わせされた左右の下段ユニット枠の上位置決め溝３４と上方支持部１３４のスリット溝に、舌片状の係止片（例えば板厚2mm幅18mm長さ50mm程度の矩形金属片）１３５を嵌入する。これにより、左右に隣接する下段ユニット枠３１の上部が一体的に前後に位置決めされ、下段ユニット枠３１は、上下及び前後方向の位置並びに前後方向の傾きが位置決めされた状態で左右のフレーム部材間に支持される。
【００４３】
このとき下柱部１３に形成された上下２箇所のボルト挿通孔１３６と左右の枠杆にそれぞれ設けられた２箇所の鬼目ナット３６及び円孔とが同一軸上に位置整合して配設される。そこで、左枠杆３１Ｌに形成された円孔側から連結ボルト１３７を挿入してボルト挿通孔１３６を通し、右枠杆３１Ｒに固定された鬼目ナット３６に螺合させて締め込む。これにより、左右に隣接する下段ユニット枠３１の左右枠杆３１Ｌ，３１Ｒが下フレーム部１０Ｄを左右から挟み込むようにして同一高さの水平姿勢に位置決めされて連結固定される。
【００４４】
このため、遊技島を構築する作業者は、下段ユニット部材３０の取り付け時にメジャーや水準器等を用いて調整を行う必要がなく、左右に隣接する下段ユニット部材を同時に且つ左右のユニット部材間でズレを生じることなく確実に位置決めして連結固定することができる。従って、遊技島の構築作業を容易且つ迅速に進めることができる。なお前述した化粧面材３２は、引き抜き材一本当たりの定尺長さが4m程度あるため、左右の下段ユニット部材３０が連結固定された後に複数ユニットに跨って取り付けられ、ユニット間に隙間が生じないようになっている。
【００４５】
こうして左右連結された下段ユニット部材３０の下部と床面ＦＬとの間を塞いで巾木部材８が取り付けられる。図９に巾木取り付け部の側断面図を示すように、床面に固定されたアンカーベース９の前後の端部は、下段ユニット部材３０における巾木桟３１Ｈの配設位置に合わせた所定間隔で上向きに曲折されて掛止辺部９Ｈが形成されている。一方、巾木部材８の裏面側は左右の側端部がアンカーベース９の板厚に合わせた加工代で段落とし加工されるとともに、この段落とし加工部を覆って矩形薄板状の挟持片がビス固定されて、掛止辺部９Ｈを前後に挟持する挟持部８Ｈが設けられている。そして、図９に矢印で示すように、巾木部材８を前方から挿入して裏面を巾木桟３１Ｈに当接させて下動し、挟持部８Ｈを掛止辺部９Ｈを挟み込むように係合させると、巾木部材８が前後に位置決めされた状態で床面ＦＬと隙間なく配設されるようになっている。従って、作業者はこうして位置決めされた巾木部材８の上部を巾木桟３１Ｈに釘打ち固定すればよく、従来のようにアンカーベース９と別途に巾木固定用の桟部材を予め床面に固定するような工数を要することなく、簡単に巾木部材を取り付けることができる。
【００４６】
下段ユニット部材３０の上方に、パチンコ機ＰＭの外枠サイズに応じた所定の高さ間隔を隔てて、上段ユニット部材２０が取り付けられる。上フレーム部１０Ｕにおける上段ユニット取り付け部１２０の側面図（図６(ａ)の部分拡大図）を図１０に、上段ユニット取り付け部１２０に上段ユニット部材２０が取り付けられた状態の側断面図（図４の部分拡大図）を図１１に、左右の上段ユニット部材２０，２０と上段ユニット取り付け部１２０との関係を説明するための斜視図を図１及び図１２に示す。
【００４７】
上段ユニット部材２０は、厚さ24mm程度、幅70mm程度の木工角材をユニット間隔Ｌyに応じた所定の長さ寸法に切断した上枠杆２１Ｕ、下枠杆２１Ｄと、右枠杆２１Ｒ及び左枠杆２１Ｌを直角に枠組みし、この枠内の上下中間部に左右の枠杆２１Ｒ，２１Ｌを結ぶ中央連杆２１Ｃを設けた外郭方形で横長の上段ユニット枠２１を基体として構成される。上段ユニット枠２１は、左右方向の外幅寸法が、ユニット間隔Ｌyで床面に固定された左右のフレーム部材の内幅間隔と同一寸法に設定されている。上段ユニット枠２１の前面上部には、上端が上枠杆２１Ｕの上部にヒンジ連結され下端側が前方上方に揺動開閉可能に天板２が取り付けられ、その下側に位置してランプ板３が中央連杆２１Ｃと下枠杆２１Ｄとの間に取り付けられている。
【００４８】
上段ユニット枠２１の左右の枠杆２１Ｌ，２１Ｒには、上述した下段ユニット枠３１と同様に、一方の枠杆（各図に例示する実施例において正面右側の右枠杆２１Ｒ）に上下所定間隔を隔てて２個一組の鬼目ナット２６（２６Ａ，２６Ｂ）が二組（計４箇所）圧入固定され、他方の枠杆（同上左枠杆２１Ｌ）の対応位置に、連結ボルト１２７を挿通させる円孔２７（２７Ａ，２７Ｂ）が対応位置に４箇所穿設されている。また、上方の鬼目ナット（または円孔）に近接して側方に突出する円柱状の軸部２２が設けられ、他方の枠杆には軸部２２の対応位置を基準として軸部２２と係合する軸係合部２３が形成されている。
【００４９】
軸部２２は、上段ユニット２０における右枠杆側の上下及び前後の位置基準となり、例えば右枠杆２１Ｒの基準位置に穿設された円孔にロールピンやスプリングピンなどを圧入固定して構成される。また軸係合部２３は、軸部２２と同一軸上に設けられて左枠杆２１Ｌ側の上下及び前後の位置基準とあり、例えば軸部２２を嵌合受容する円孔とすることができるが、本実施形態では、軸部２２を基準として左枠杆２１Ｌの後面側に開く溝状に形成した構成例を示す。
【００５０】
この軸係合部２３の溝形状は、溝上面２３ａが水平で溝下面２３ｂが後方に下傾するＶ字状をなし、両溝面が交わる前端部２３ｃは軸部２２の軸半径に合わせた円弧状に形成されて、この円弧の中心軸が右枠杆側の軸部２２と同一軸上に設けられて左枠杆側の上下及び前後の位置基準となっている。すなわち、軸係合部２３の前端部２３ｃを軸部２２に係合させたときに、左右の上段ユニット部材２０，２０が上下及び前後に位置整合するようになっている。なお、軸係合部２３の溝形状は、前端部２３ｃにおいて軸部２２との係合位置を規定可能であれば良く、例えば、前後に水平または後方に下傾して後端側が枠杆の後面に開く長孔状に形成しても良い。
【００５１】
一方、上段ユニット取り付け部１２０は、上柱部１１の上部前端に設けられ軸部２２を左右に挿通させて支持する軸支持部１２２と、上柱部１１の下部に固着されて左右枠杆２１Ｌ，２１Ｒの後面を支持する下方支持部１２３と、上柱部１１の上下に所定間隔を隔てて上柱部１２を左右に貫通して設けられた２個一組（計４箇所）のボルト挿通孔１２６（１２６Ａ，１２６Ｂ）などから構成される。
【００５２】
軸支持部１２２は、上段ユニット取り付け部１２０に取り付けられる上段ユニット部材２０の上下及び前後の位置を規定する位置基準であり、例えば軸部２２を嵌合受容する円孔とすることができるが、本実施形態では、軸部２２を基準として上柱部１１の前端側に開く溝状に形成した構成例を示す。この軸支持部１２２の溝形状は、溝幅が軸部２２の軸直径より僅かに大きく前端側が上柱部の前端側に開いて後端側が斜め下方に延びる長孔状をなし、この長孔の後端部１２２ｃに軸部２２が支持されたときに、軸部２２がフレーム部材１０の前後及び上下の基準位置に配設されるようになっている。なお、軸支持部１２２は後端部１２２ｃにおいて軸部２２の支持位置を規定可能であれば良く、例えば、長孔状の溝を前後水平に形成し、あるいは水平溝の後端側に一部鉛直溝を形成し、または溝下面が水平で前端側に向けて開くＶ字状に形成しても良い。
【００５３】
また、下方支持部１２３は、軸支持部１２２に軸部２２を介して支持された左右の上段ユニット部材２０の前後方向の傾きを規定する角度基準であり、軸部２２を軸支持部の後端部１２２ｃに支持させて上段ユニット部材２０の下部を後方に揺動させたときに左右枠杆２１Ｌ，２１Ｒの後端面と当接して後方への移動を規制し、左右枠杆が鉛直となるように（上段ユニット部材２０が前後に傾いた状態にならないように）設けられる。本実施形態では、円柱状の軸ピンを上フレーム部１０Ｕを貫通させて左右に突出して配設し溶接またはカシメ等の手段により固着した構成例を示す。なお、このような円柱状部材を左右貫通させて固着する構成の他、例えば立設面で左右枠杆の後面を支持するＬ字アングル状ないしブロック状の部材を溶接またはネジ固定等するように下方支持部を構成しても良い。
【００５４】
ここで、軸支持部１２２は上段ユニット部材２０の支持高さを規定する基準となる部位であるが、フレーム部材１０には軸支持部が複数設けられており、各図に示す実施形態では上下に２箇所形成した構成例を示す。この２箇所の軸支持部１２２は、上段ユニット部材２０と下段ユニット部材３０とを関東枠の枠サイズに合わせた第１の所定間隔を隔てて連結させる第１軸支持部１２２Ａと、関西枠の枠サイズに合わせた第２の所定間隔を隔てて連結させる第２軸支持部１２２Ｂとからなり、軸部２２を第１軸支持部１２２Ａに支持させたときに上段ユニット部材２０が関東枠に合わせた高さ位置に配設され、軸部２２を第２軸支持部１２２Ｂに支持させたときに上段ユニット部材２０が関西枠に合わせた高さ位置に配設されるように構成している。すなわち、遊技島ＰＩを構築する際に、第１軸支持部１２２Ａ及び第２軸支持部１２２Ｂのいずれか一方を選択して軸部２２を支持させることにより、上段ユニット２０がパチンコ機ＰＭの枠サイズに応じた高さ位置に配設されるように設定されている。
【００５５】
また、フレーム部材１０側の４箇所のボルト挿通孔１２６（１２６Ａ，１２６Ｂ）と上段ユニット部材２０側の４箇所の鬼目ナット２６（２６Ａ，２６Ｂ）及び円孔２７（２７Ａ，２７Ｂ）との関係は、上段ユニット部材２０の軸部２２が第１軸支持部１２２Ａに支持されたときに、上段ユニット部材２０側の各２箇所の鬼目ナット２６Ａ及び円孔２７Ａがそれぞれフレーム部材１０側の２箇所のボルト挿通孔１２６Ａと同一軸上に配設され、上段ユニット部材２０の軸部２２が第２軸支持部１２２Ｂに支持されたときに、上段ユニット部材２０側の各２箇所の鬼目ナット２６Ｂ及び円孔２７Ｂがそれぞれフレーム部材１０側の２箇所のボルト挿通孔１２６Ｂと同一軸上に配設されるように位置関係が規定されている。
【００５６】
このため、遊技島ＰＩを構築する作業者は、図１(ａ)に示すように、左右のフレーム部材の間に、上フレーム部１０Ｕの前方から上段ユニット部材２０を接近させ、右枠杆２１Ｒから右方に突出する軸部２２をフレーム部材１０の第１軸支持部１２２Ａまたは第２軸支持部１２２Ｂ、例えば、構築しようとする遊技島ＰＩが関東枠仕様である場合には、図示するように第１軸支持部１２２Ａの前端開口に導入する。軸部２２が第１軸支持部１２２Ａの前端開口に導入されると、あとは後方に下傾する溝形状に沿って軸部２２が斜め後方に移動し、第１軸支持部１２２Ａの後端部１２２ｃにおいて軸部２２の下面及び後面が支持されて、上段ユニット部材２０の右上部がフレーム部材１０に対して前後及び上下に位置決めされる。
【００５７】
また、上段ユニット部材２０の左枠杆部２１Ｌ側を、図１(ｂ)に示すように左側のフレーム部材の前方から挿入し、後方にＶ字状に開く軸係合部２３を、上記同様にして既に第１軸支持部１２２Ａに支持された左側の上段ユニット部材の軸部２２に係合させて後方に押圧移動させる。すると溝上面において軸部２２に支持された上段ユニット部材２０の左上部が後方に水平移動し、前端部２３ｃの上面及び前端面が軸部２２に当接支持されて、上段ユニット部材２０の左上部がフレーム部材１０に対して前後及び上下に位置決めされる。
【００５８】
そして、このように左右上部が前後及び上下に位置決めされて左右の軸部２２に支持された上段ユニット部材２０の上部を押さえ、下部を自重により後方に揺動させて左右の枠杆部２１Ｒ，２１Ｒの後端面を下方支持部１２３に当接させる。すると上段ユニット部材２０は左右の枠杆が鉛直となる姿勢で揺動角度位置が規定され、これにより上段ユニット２０が、上下、前後に位置決めされるとともに、直交する３軸まわりの角度位置も位置決めされる。
【００５９】
このとき、上段ユニット部材２０側の４箇所の鬼目ナット２６及び円孔２７と、フレーム部材１０側の４箇所のボルト挿通孔１２６とは、上段ユニット部材２０側の各２箇所の鬼目ナット２６Ａ及び円孔２７Ａが、それぞれフレーム部材１０側の２箇所のボルト挿通孔１２６Ａと位置整合して同一軸上に配設される。従って作業者は、遊技島ＰＩが関東枠仕様の場合には、上下に隣接する円孔２７Ａ，２７Ｂのうち上方の円孔２７Ａに連結ボルト１２７を挿入すれば、連結ボルト１２７の先端部が確実にボルト挿通孔１２６Ａを通って鬼目ナット２６Ａに到達し、鬼目ナット２６Ａに容易に螺合させることができる。
【００６０】
そして連結ボルト１２７を螺合させて締め込むと、左右に隣接する上段ユニット枠２１の左右枠杆２１Ｌ，２１Ｒが上フレーム部１０Ｕを左右から挟み込むように固定され、左右の上段ユニット部材２０がともに関東枠サイズに対応した適切な高さ位置で、前後、左右、上下に位置決めされ、及びいずれの方向の軸廻りにも傾きのない水平姿勢に位置決めされて連結固定される。
【００６１】
従って、遊技島を構築する作業者は、遊技島ＰＩの前方から上段ユニット部材２０を左右のフレーム部材１０，１０の間に進入させて、当該上段ユニット部材２０の左側において軸係合部２３を隣接する上段ユニットの軸部２２に係合させ、当該上段ユニット２０の右側において軸部２２を軸支持部１２２に係合させて軽く後方に押圧するだけで上段ユニット部材２０を適正な枠サイズ対応位置に位置決めすることができ、この状態で位置整合する円孔２７に連結ボルト１２７を挿入して鬼目ナット２６に螺合締結することで、容易且つ確実に左右の上段ユニットを連結固定することができる。すなわち、上段ユニット部材２０が順次落下しない状態で適正位置に仮設置されるため、遊技島を容易に構築することができる。
【００６２】
なお、遊技島ＰＩにおいて左端側に位置する上段ユニット部材に対しては、右枠杆２１Ｒに相当する構成の側板部材を上フレーム部１０Ｕの左面側に固定することで同様に組み付けることができる。また、上段ユニット部材における左右の枠杆の配置構成を逆にしても良く、これらを組み合わせて構成しても良い。例えば、軸部２２の突出方向を研磨機柱ＣＫ側から遊技島の側端側に突出するように、上段ユニット部材２０を二種類設定し、これらを研磨機柱の左右と両島の前後面とで組み合わせて、中央の研磨機柱ＣＫ側から遊技島の側端側に向けて組み付けるように構成することができる。
【００６３】
なお、以上説明した実施形態では、外枠サイズが異なるパチンコ機を設置する遊技島に本発明を適用した構成例を示したが、本発明は係る実施形態に限定されるものではなく、他の種別の縦型遊技機、例えばアレンジボール機や雀球遊技機、スロットマシン等を設置する遊技島、あるいはこれらを複合的に設置する遊技島についても同様に適用し同様の効果を得ることができる。
【図面の簡単な説明】
【００６４】
【図１】左右の上段ユニット部材とフレーム部材における上段ユニット取り付け部との関係を説明するための説明図（斜視図）である。
【図２】本発明に係る島構造を適用した遊技島の外観斜視図である。
【図３】上記遊技島全体の正面図である。
【図４】図３中のIV矢視方向の側断面図である。
【図５】島構造の概要構成を示す説明図（正面図）である。
【図６】(ａ)は図５中のVI矢視方向に見たフレーム部材の側面図、(ｂ)は(ａ)の右側面図（図３におけるフレーム部材の背面図）である。
【図７】図４における下部領域の部分拡大図である。
【図８】(ａ)は図６中のVIII矢視方向に見た下柱部の正面図、(ｂ)は(ａ)の右側面図（図７の部分拡大図）である。
【図９】巾木取り付け部分の側断面図である。
【図１０】フレーム部材における上段ユニット取り付け部の側面図（図６(ａ)の部分拡大図）である。
【図１１】上段ユニット取り付け部に上段ユニット部材が取り付けられた状態の側断面図（図４の部分拡大図）である。
【図１２】フレーム部材を挟む左右の上段ユニット部材の側枠杆と上段ユニット取り付け部との位置関係を示す斜視図である。
【符号の説明】
【００６５】
ＰＩ  遊技島
ＰＭ  パチンコ機（縦型遊技機）
Ｌy（Ｌy1〜Ｌy3）  ユニット間隔
ＦＬ  床面
８  巾木部材（８Ｈ  挟持部）
９  アンカーベース（９ａ  底辺、９ｂ  立設壁面、９Ｈ  掛止辺部）
１０  フレーム部材
２０  上段ユニット部材
２２  軸部
２３  軸係合部（２３ｃ  前端部）
３０  下段ユニット部材
３１Ｈ  巾木桟（桟部材）
３３  下位置決め溝
３４  上位置決め溝
１２２  軸支持部（１２２Ａ  第１軸支持部、１２２Ｂ  第２軸支持部、１２２ｃ  後端部）
１２３  下方支持部
１３３  下方支持部（１３３ｂ  支持辺、１３３ｃ  位置決め辺）
１３４  上方支持部
１３５  係止片
【図１】
2008148939.tif 000003
【図２】
2008148939.tif 000004
【図３】
2008148939.tif 000005
【図４】
2008148939.tif 000006
【図５】
2008148939.tif 000007
【図６】
2008148939.tif 000008
【図７】
2008148939.tif 000009
【図８】
2008148939.tif 000010
【図９】
2008148939.tif 000011
【図１０】
2008148939.tif 000012
【図１１】
2008148939.tif 000013
【図１２】
2008148939.tif 000014